(57)【要約】【課題】携帯端末を手を使用しなくても、操作出来る様な状態とする。【解決手段】首肩掛けフレーム部１０と携帯端末を吊り下げ設置するアーム部２０と携帯端末ホルダ部３０からなる、携帯端末設置装置を使用することにより、携帯端末を顔面付近（携帯端末を操作・参照する位置）に配置し、手で情報端末を支えることなしに、操作・参照を可能とする。現在、携帯端末に標準装備されつつある、音声入力アシスト機能を活用することにより、手を使わずに、操作・参照が可能となる。また、常に、携帯端末を顔面付近に配置することにより、情報端末を即時使用可能な状態にする。【選択図】図１
2014142899.tif 000002
【特許請求の範囲】
【請求項１】
携帯端末を顔の前に配置する携帯端末支持具であって、首に掛けて肩に置く為の首肩掛けフレーム部と、首肩掛けフレーム部の前端部に掛け、携帯端末をユーザの顔の前に配置することができるアーム部と、携帯端末をアーム部に取り付ける携帯端末ホルダ部とを有することを特徴とする携帯端末支持具。
【請求項２】
前記アーム部は、前記首肩掛けフレーム部の先端部に取り付けるフレーム・アーム取付部から下側に伸びるアッパーアーム、アッパーアームの先端から上側に伸びるフォアアームと、このアッパーアーム、及びフォアアームを連結するヒンジを備え、前記吊り下げ部の下部にユーザの被服にも取り付けることができるポケット挿入用フックプレートが形成されていることを特徴とする請求項１に記載の携帯端末支持具。
【請求項３】
前記ホルダ部は、筒状フレームを十字状に固定し、十字状の固定部にアームの携帯端末ホルダ取付部を通すアーム取付部を設けておき、前記十字状の筒状フレームに伸縮帯を通し、その両端にフック部を取り付けて携帯端末の四隅を支持することを特徴とする請求項１、又は請求項２に記載の携帯端末支持具。
【請求項４】
前記携帯端末ホルダ部は、アーム取り付け部に面状ファスナを介して補助バッテリー等を装着可能とするように構成されていることを特徴とする請求項１、請求項２、又は請求項３に記載の携帯端末支持具。
【請求項５】
前記アーム部は、ユーザの身体（胸部付近）に接触することによりアッパーアームを支えることが出来るアッパーアームの下部付近から左右に伸びるブリッジが形成されていることを特徴とする請求項１に記載の携帯端末支持具。
【発明の詳細な説明】
【技術分野】
【０００１】
本発明は、携帯端末を手で持つことなく顔面付近に配置し、常時使用することを可能とする支持具に関するものである。
【背景技術】
【０００２】
近年、携帯端末（特にスマートフォン）に標準で装備されつつある音声入力アシスト機能の充実には、目覚しいものがある。インターネット検索やアプリの起動など使用頻度の高い機能の操作は殆ど問題なく音声で操作できるようになった。つまり、手を使わずに入力操作が出来るようになった。
【先行技術文献】
【特許文献】
【０００３】
【特許文献１】特開２０１２−２１４０８７号公報
【発明の概要】
【発明が解決しようとする課題】
【０００４】
携帯端末（特にスマートフォン）の使用は、手で持って（片手で支え、別の方の手で操作）操作・参照、台の上において操作・参照等考えられるが、手で持って操作するのが一般的である。その為、手を使う作業をしている時、携帯端末を使用するには、一旦作業を中断しなければならない。また、手の不自由な人が携帯端末を操作するのは困難である等の課題がある。更に、通信網の充実と情報サービスの充実に伴い取得出来る情報の種類や量が飛躍的に拡大しており、情報をタイムリーに、かつ有効に活用する為に、携帯端末を即時使用可能な状態にしておくことが必要になる。
このような課題に対応するものとして、特許文献１には、アタッチメントを介して車両の内装部材にスマートフォンを配置するようなものが記載されている。
ところが、特許文献１に記載されたものは、車両内部に限定されたものであって、一般的な使用を前提としたものではない。本発明は、上記の課題を解決する為になされたものである。
【課題を解決するための手段】
【０００５】
上記課題を解決するためになされた請求項１に記載の発明は、携帯端末を設置する土台となる首肩掛けフレーム部、首肩掛けフレーム部の前端部に掛けることができるアーム部、およびアーム部の先端に取り付ける携帯端末ホルダ部の３つの部分で構成するものである。携帯端末ホルダ部に携帯端末を取り付けることにより、携帯端末を顔面付近に配置することが出来る様になる。
【０００６】
請求項２に記載の発明では、前記アーム部は首肩掛けフレーム部の先端部に取り付けるフレーム・アーム取付部と、このフレーム・アーム取付部から下側に伸びるアッパーアームと、アッパーアームの先端（下端）から上側に伸びるフォアアームと、このアッパーアームとフォアアームとを連結するヒンジを備えたものであり、フレーム・アーム取付部の下部にユーザの被服にも取付ることが出来るポケット挿入用フックプレートが形成されている。
【０００７】
請求項３に記載の発明は、筒状フレームを十字状に固定し、十字状の固定部にアームの携帯端末ホルダ取付部を通すアーム取付部を設けておき、前記十字状の筒状フレームに伸縮帯を通し、その両端にフック部を取り付けて携帯端末の四隅を支持する構造となっている。
【０００８】
請求項４に記載の発明は、アーム取り付け部に面状ファスナを介して補助バッテリー等を装着可能となるように構成されているものである。
【０００９】
請求項５に記載の発明は、アッパーアームの下部付近から左右に伸びるブリッジが形成されており、このブリッジの先端がユーザの身体（胸部付近）に接触することによりアッパーアームを支えることが出来る構造となっている。
【発明の効果】
【００１０】
本発明によれば、手を使う作業をしている場合でも、一旦作業を中断する必要がなくなる。また、手の不自由な人も音声入力アシスト機能を使用することにより、携帯端末の利用が容易になる。直接携帯端末に触れたくない（水周りの）作業を行っている場合でも携帯端末が利用可能となる。携帯端末のレシピを見ながら調理が出来る。運転しているときでも、操作参照が容易である。収納ポジション（携帯端末の収納は、胸のあたりと）決めていれば、収納の場所（衣類のポケット、カバン、手に持つ）を悩む必要がない。携帯端末を直に使用できる。スマートフォンの利用形態を飛躍的に向上させることが出来る。
【図面の簡単な説明】
【００１１】
【図１】図１は、本発明に係わる携帯端末支持具の全体を示す図であり、（Ａ）は、本発明を装着した時の斜視図、（Ｂ）は、本発明を上から見た図、（Ｃ）は、本発明の斜視図、（Ｄ）は、本発明を横から見た図、（Ｅ）は、本発明のアームを折りたたんだ時の横から見た図である。
【図２】図２は、本発明に係わる携帯端末支持具の３つのパーツそれぞれを示す図であり、（Ａ）は、携帯端末ホルダ部、（Ｂ）は、アーム部、（Ｃ）は、首肩掛けフレーム部の図、（ａ）は、携帯端末ホルダ部に携帯端末を装着したもの、及びアームを斜め下から見た図、（ｂ）は、アーム部のフレーム・アーム取付雄ヒンジの拡大斜視図と上から見た図、（ｃ）は、首肩掛けフレーム部フレーム・アーム取付雌ヒンジの拡大斜視図と上から見た図を組み合わせたものである。
【図３】図３は、携帯端末ホルダの詳細図であり、（Ａ）は、十字状の固定部を構成する部材を示す図、（Ｂ）は、筒状フレームを通す端末グリップフックを取り付けた端末グリップ伸縮帯を示す図、（Ｃ）は、端末グリップフックを取り付けた端末グリップ伸縮帯を通した筒状フレームを十字状に組み、軸を通した状態（一部は透過図にしている）を示す図、（Ｄ）は、（Ｃ）の状態に加え、ワッシャを通した状態（軸の溝がはみ出している状態）を示す図、（Ｅ）は（Ｄ）の状態に加え、アーム取付部（コネクタ）を取付け、更に携帯端末を取り付けた状態を示す図、（Ｆ）は、アーム取付部（コネクタ）、及び軸を示し、更に十字状に組んだ筒状フレームに通した軸にアーム取付部（コネクタ）をはめ込む時のイメージを組み合わせた図である。
【図４】図４は、本発明の３つのパーツ（肩掛けフレーム部、フレーム部、携帯端末ホルダ部）、及び携帯端末を組み立てる時を示す図である。
【図５】図５は、アーム部のポケット挿入用フックプレートを利用してユーザ被服部に装着した図である。
【図６】図６は、補助バッテリーを説明する図であり、（Ａ）は、携帯端末ホルダ部に補助バッテリーを装着した図、（Ｂ）は、本発明に補助バッテリーを装着した時の横から見た図である。
【図７】図７は、本発明を携帯端末スタンドとして使用する時の説明図であり、（Ａ）は、本発明に携帯端末を装着した状態で横から見た図、（Ｂ）は、首肩掛けフレーム部の上面を下側にして置いた状態を示す図、（Ｃ）は、（Ｂ）の状態からフォアアームをヒンジを中心として回転させる時のイメージ図、（Ｄ）は、本発明を携帯スタンドとして使用する時の斜視イメージ図である。
【図８】図８は、本発明に係わる携帯端末支持具の全体を示す図であり、（Ａ）は、本発明をアーム部からブリッジを伸ばした状態で装着した時の斜視図、（Ｂ）は、本発明アーム部からブリッジを伸ばした状態の斜視図である。
【発明を実施するための形態】
【００１２】
以下、本発明の実施の形態を説明する。
本発明の実施の形態における装着イメージと外観、及び全体の構成を図１〜図３に基づいて説明する。図１の（Ａ）のように、首に掛けて肩に置く為の携帯端末を設置する土台と
なる首肩掛けフレーム部１０、首肩掛けフレーム部の前端部に掛けることができるアーム部２０、およびアーム部２０の先端に取り付ける携帯端末ホルダ部３０の３つの部分から構成される。
携帯端末を使用しない時は、図１（Ｅ）に示すように、フォアアーム２４をヒンジ２３を中心に手前に折りたたむことができる。
【００１３】
次に、本発明の実施の形態における各パーツの詳細構造と設置について図１〜図６に基づいて説明する。
首肩掛けフレーム部１０は、バックネックフレーム１１、サイドネックフレーム１３及びそれを繋ぐネックフレームヒンジ１２からなるフレーム部分が、半円形を形成し、ヒンジ１２で繋ぐことによりユーザの首のサイズに応じて折りたためる首に掛けて肩に置く支持具の土台部として機能する。左右のサイドネックフレーム１３の先端にはアーム部２０を取り付けるフレーム・アーム取付雌ヒンジ１６が形成されており、左右いづれにもアーム部２０の取付が可能となっている。また、サイドネックフレーム１３には、ストッパヒンジ１５で固定されたストッパ１４が形成されており、取り付けたアーム部２０や携帯端末ホルダ部３０に左右向きの力が加わった時の首肩掛けフレーム部１０のズレを抑えることができる。
【００１４】
アーム部２０は、首肩掛けフレーム部１０のフレーム・アーム取付雌ヒンジ１６に装着するフレーム・アーム取付雄ヒンジ２１と、このフレーム・アーム取付雄ヒンジ２１から下側に伸びるアッパーアーム２２と、このアッパーアーム２２の下端から上側に伸びるフォアアーム２４、アッパーアーム２２とフォアアーム２４を連結するアームヒンジ２３、携帯端末ホルダ部３０を取り付けるアーム先端部２４ａ、及びフレーム・アーム取付雄ヒンジ２１から下方向へ伸びるユーザの被服部に取り付けられるフックプレート２５から構成されている。フレーム・アーム取付雄ヒンジ２１を首肩掛けフレーム部１０のフレーム・アーム取付雌ヒンジ１６に装着することにより、ヒンジ構造を形成し、アーム部２０を左右に回転することにより、アーム部２０に取り付けた携帯端末６０の左右の向きを変えられるようになっている。
図５に示す様に、ポケット挿入用フックプレート２５は、ユーザの被服の胸ポケット等に差し込むことにより首肩掛けフレーム部１０を使用しなくても携帯端末６０を設置出来る構造となっている。
【００１５】
携帯端末ホルダ部３０は、両端に端末グリップフック３３を取り付けた端末グリップ伸縮帯３４を通した筒状の通し部材の筒状フレーム３２を十字状に組み、その中心に軸３５を通して、ワッシャ３６と鞘状のコネクタ３１で固定する構造となっている。
図３（Ｆ）に示す様に、鞘状のコネクタ３１には、片面に切れ込み３１ｂと軸穴３１ｃがあり、軸３５には、溝３５ａが切られており、軸３５を筒状フレーム３２とワッシャ３６を通した状態で溝３５ａの部分がはみ出す状態になり、ここに、コネクタ３１の切れ込み３１ｂをあわせて、溝３５ａに沿ってスライドさせて軸３５を軸穴３１ｃにはめ込む。これにより、軸３５と軸穴３１ｃがヒンジ構造を形成し、携帯端末６０をアーム部２０に装着した時、携帯端末６０を縦横に向きを変えることが出来る。
【００１６】
図４で当発明の設置方法を説明する。
（１）携帯端末ホルダ部３０の四隅の端末グリップフック３３を携帯端末６０の四隅に引っ掛けて設置する。
（２）アーム部２０のアーム先端部２４ａを携帯端末ホルダ部３０の鞘状のコネクタ３１のアーム先端部挿入口３１ａに合わせて差し込む。
（３）アーム部２０のフレーム・アーム取付雄ヒンジ２１を首肩掛けフレーム部１０のフレーム・アーム取付雌ヒンジ１６に差して組み立て完了。
（４）上記で組み立てた本発明の首肩掛けフレーム部１０をユーザの首肩に掛けて使用す
る。（図１（Ａ））
【００１７】
図６に示す様に、携帯端末ホルダ部３０は、コネクタ３１の裏側に面状ファスナ３７を張っており、携帯端末長時間使用時の電源の供給の為の補助バッテリー４０等を装着可能な構造となっている。
【００１８】
図７に示す様に、首肩掛けフレーム部１０の上面を下側にして置き（Ｂ）、フォアアーム２４を前記アームヒンジ２３を中心として回転させること（Ｃ）により、携帯スタンド（Ｄ）として機能する様に構成されている。
【００１９】
図８に示す様に、ユーザの身体（胸部付近）に接触することによりアーム部２０のアッパーアーム２２を支えることが出来る様に、アッパーアーム２２の下部付近から左右に伸びるブリッジ２６を設けてもよい。
【符号の説明】
【００２０】
１０    首肩掛けフレーム部
２０    アーム部
３０    携帯端末ホルダ部
１１    バックネックフレーム
１２    ネックフレームヒンジ
１３    サイドネックフレーム
１４    ストッパ
１５    ストッパヒンジ
１６    フレーム・アーム取付雌ヒンジ
２１    フレーム・アーム取付雄ヒンジ
２２    アッパーアーム
２３    アームヒンジ
２４    フォアアーム
２４ａ  アーム先端部
２５    フックプレート
２６    ブリッジ
３１    コネクタ
３１ａ  アーム先端部挿入口
３１ｂ  切れ込み
３１ｃ  軸穴
３２    筒状フレーム
３３    端末グリップフック
３４    端末グリップ伸縮帯
３５    軸
３５ａ  溝
３６    ワッシャ
３７    面状ファスナ
４０    補助バッテリー
４１    補助バッテリーケーブル
５０    ポケット
６０    携帯端末
【図１】
2014142899.tif 000003
【図２】
2014142899.tif 000004
【図３】
2014142899.tif 000005
【図４】
2014142899.tif 000006
【図５】
2014142899.tif 000007
【図６】
2014142899.tif 000008
【図７】
2014142899.tif 000009
【図８】
2014142899.tif 000010